(57)【要約】【課題】  組立が容易で、製造コストが安価となり、効率的で確実に接触事故を防止できる室内用空調ユニットを提供することを目的とする。【解決手段】  吸込口１７から取り入れられた室内の空気を冷却または加熱するための室内熱交換器２１等と、吸込口１７から空気を取り入れるとともに、室内熱交換器２１等により熱交換された空気を吹出口２５から室内に吹き出させるためのクロスフローファン２７と、を備える空調用室内ユニット３において、長手方向に少なくとも１個の上係止部６７が設けられた樹脂製の複数の縦桟５７および各縦桟５７を連結する少なくとも１本の樹脂製の上横桟５９により構成されたフレーム５３と、縦桟５７の上係止部６７に係止され長手方向に延設されたワイヤ５５と、を有するファンガード３９を備え、ファンガード３９は、クロスフローファン２７から吹出口２５への送風路に取り付けられていることを特徴とする。【選択図】      図２
2006010257.tif 000002
【特許請求の範囲】
【請求項１】
吸込口から取り入れられた室内の空気を冷却または加熱するための室内熱交換器と、
前記吸込口から空気を取り入れるとともに、前記室内熱交換器により熱交換された空気を吹出口から室内に吹き出させるための送風機と、
を備える空調用室内ユニットにおいて、
長手方向に少なくとも１個のワイヤ係止部が設けられた樹脂製の複数の短桟および該各短桟を連結する少なくとも１本の樹脂製の長桟により構成されたフレームと、前記各短桟の前記ワイヤ係止部に係止され長手方向に延設されたワイヤと、を有するガード組立体を備え、
該ガード組立体は、前記送風機から前記吹出口への送風路に取り付けられていることを特徴とする空調用室内ユニット。
【請求項２】
前記フレームは、両側にそれぞれ係合部を有し、
前記送風路は、前記各係合部に対応する固定用係合部を備えていることを特徴とする請求項１に記載の空調用室内ユニット。
【請求項３】
前記係合部は、前記フレームの長手方向にそれぞれ間隔を空けて複数設けられていることを特徴とする請求項２に記載の空調用室内ユニット。
【請求項４】
前記短桟および前記長桟における前記送風機から前記吹出口への送風方向に沿う断面形状は、流線形状とされていることを特徴とする請求項１から請求項３のいずれかに記載の空調用室内ユニット。
【請求項５】
前記短桟の前記ワイヤ係止部は、前記ワイヤの断面と略同形状の孔であることを特徴とする請求項１から請求項４のいずれかに記載の空調用室内ユニット。
【請求項６】
両端の短桟を除く前記ワイヤ係止部の一部は、外に開放された凹部で形成されていることを特徴とする請求項５に記載の空調用室内ユニット。
【請求項７】
前記凹部を設けた短桟と、前記孔を設けた短桟とは、ワイヤ延設方向で交互に配置されていることを特徴とする請求項６に記載の空調用室内ユニット。
【請求項８】
両端の短桟を除く前記ワイヤ係止部は、全て外に開放された凹部で形成され、
ワイヤ延設方向で隣り合う凹部は、送風方向にみて逆方向に向いて開放されていることを特徴とする請求項５に記載の空調用室内ユニット。
【請求項９】
前記長桟は、前記送風路を構成する対向した２面のうち、少なくとも１面に沿うように配設されていることを特徴とする請求項１から請求項８のいずれかに記載の空調用室内ユニット。
【請求項１０】
前記長桟は、前記送風路の中間部分に配設されていることを特徴とする請求項１から請求項９のいずれかに記載の空調用室内ユニット。
【請求項１１】
前記送風機は、クロスフローファンとされ、
前記送風路の１面の内側端部を構成し、前記クロスフローファンの回転に伴い前記クロスフローファンとの間に再循環渦を形成するスタビライザを有し、
該スタビライザを有しかつ前記送風路を構成する面と前記長桟との間に、少なくとも１本のワイヤを配設してなることを特徴とする請求項１から請求項１０のいずれかに記載の空調用室内ユニット。
【請求項１２】
請求項１から請求項１１のいずれか一項に記載の空調用室内ユニットと、
冷媒を圧縮するための圧縮機、および冷媒と室外の空気との熱交換を行わせるための室外熱交換器を有する空調用室外ユニットと、
前記空調用室内ユニットおよび前記空調用室外ユニットを連結するとともに、冷媒を前記空調用室内ユニットおよび前記空調用室外ユニットの間で循環させるための冷媒配管と、を備えてなることを特徴とする空気調和装置。
【発明の詳細な説明】
【技術分野】
【０００１】
本発明は、吹出口に手等が挿入され、指等が送風機に接触するのを防止する進入防止部材を備えた空調用室内ユニットおよび空気調和装置に関するものである。
【背景技術】
【０００２】
従来、この進入防止部材を備えた空気調和装置には、例えば特許文献１に示されるものがある。
これは、複数設けられた左右風向ルーバに、上下に複数の長孔を形成し、この長孔にワイヤを挿通してファンガードを形成するものである。
【０００３】
【特許文献１】特開平８−１４５４００号公報（段落［０００６］〜［０００７］，及び図１〜図３）
【発明の開示】
【発明が解決しようとする課題】
【０００４】
ところで、特許文献１に示されるものは、左右風向ルーバの稼動範囲を確保するためワイヤを長穴に挿通させている。これでは、ワイヤを強固に保持できないので、ワイヤの変形を十分に規制することができない。このため、手等が挿入されてワイヤに当接した場合にワイヤが変形して、ワイヤ間が拡がる恐れがあるので、ワイヤ間隔を広くできないという問題があった。また、左右風向ルーバとワイヤとを関連させて組立を行う必要があるので、組立が複雑で、製造コストが高くなる問題があった。
【０００５】
本発明は、上記問題点に鑑み、組立が容易で、製造コストが安価となり、効率的で確実に接触事故を防止できる室内用空調ユニットおよびこれを用いた空気調和装置を提供することを目的とする。
【課題を解決するための手段】
【０００６】
上記課題を解決するために、本発明は以下の手段を採用する。
すなわち、本発明にかかる空調用室内ユニットは、吸込口から取り入れられた室内の空気を冷却または加熱するための室内熱交換器と、前記吸込口から空気を取り入れるとともに、前記室内熱交換器により熱交換された空気を吹出口から室内に吹き出させるための送風機と、を備える空調用室内ユニットにおいて、長手方向に少なくとも１個のワイヤ係止部が設けられた樹脂製の複数の短桟および該各短桟を連結する少なくとも１本の樹脂製の長桟により構成されたフレームと、前記各短桟の前記ワイヤ係止部に係止され長手方向に延設されたワイヤと、を有するガード組立体を備え、該ガード組立体は、前記送風機から前記吹出口への送風路に取り付けられていることを特徴とする。
【０００７】
このように、ガード組立体は、複数の短桟と、少なくとも１本の長桟および少なくとも１本のワイヤと、が略直交するように構成されているので、短桟と、長桟およびワイヤとで格子形状が形成されることになる。このガード組立体を送風路に送風方向と略直交し、長桟の延設方向が、送風路断面の長手方向に沿うように取り付けると、送風路断面に短桟と、長桟およびワイヤとで構成された格子が形成されるので、手等が送風路に挿入された場合であっても、指等が送風機に接触するのを防止できる。
また、短桟と長桟とは、樹脂製なので、フレームは例えば射出成形で一体成形できる。このフレームに、ワイヤをワイヤ係止部に係止するだけでガード組立体が形成できるので、ガード組立体は、製造が簡単で、コストが低減できる。
さらに、ガード組立体は、風向ルーバ等他の部材とは独立しており、それらとは無関係に取り付けられるので、空調用室内ユニットの組立が簡素化できる。
また、短桟は送風路に対して固定されているので、この短桟に係止されたワイヤは強固に係止される。このため、ワイヤは大きく動くことがなく、その位置を十分に規制できるので、ワイヤの動きを考慮して不必要にワイヤの間隔を狭くする必要がなくなる。また、ワイヤの移動が規制されるので、例えば、ワイヤを複数本取り付ける場合に、従来の長孔に挿通させたものに比べてワイヤ本数を減少させることができる。
【０００８】
また、本発明にかかる空調用室内ユニットでは、前記フレームは、両側にそれぞれ係合部を有し、前記送風路は、前記各係合部に対応する固定用係合部を備えていることを特徴とする。
【０００９】
ワイヤを組み込んだガード組立体は、片側の係合部を吹出口の片側の固定用係合部に係合させ、樹脂の弾性変形を利用して、他側の係合部を他側の固定用係合部に係合させることで、吹出口に取り付けることができるので、ワンタッチで簡単に取り付けることができる。
【００１０】
また、本発明にかかる空調用室内ユニットでは、前記係合部は、前記フレームの長手方向にそれぞれ間隔を空けて複数設けられていることを特徴とする。
【００１１】
このように、係合部が長手方向両側に間隔を空けて複数設けられているので、ガード組立体は吹出口に強固に、かつ確実に取り付けることができる。
なお、フレームの両側で、係合部の位置あるいは形状を異ならせておけば、取り付け方向の間違いを防止することができる。
【００１２】
また、本発明にかかる空調用室内ユニットでは、前記短桟および前記長桟における前記送風機から前記吹出口への送風方向に沿う断面形状は、流線形状とされていることを特徴とする。
【００１３】
このように、短桟および長桟における前記送風機から前記吹出口への送風方向に沿う断面形状は、流線形状とされているので、送風機からの送風は短桟および長桟の表面を滑らかに流れることができる。このため、短桟および長桟による送風の圧力損失が増加するのを防止できるので、空調効率の低下を防止できる。
【００１４】
また、本発明にかかる空調用室内ユニットでは、前記短桟の前記ワイヤ係止部は、前記ワイヤの断面と略同形状の孔であることを特徴とする。
【００１５】
このように、短桟のワイヤ係止部は、ワイヤの断面と略同形状の孔であるので、ワイヤは孔に挿通されることで、動く余地がほとんどない状態で短桟に取り付けられる。このため、ワイヤは大きく動くことがなく、その位置が十分に規制されるので、例えば従来の風向ルーバに設けた長孔に挿通したものにあったように不必要にワイヤの間隔を狭くする必要がなくなる。また、ワイヤの移動が規制されるので、例えば、ワイヤを複数本取り付ける場合に、従来の長孔に挿通させたものに比べてワイヤ本数を減少させることができる。
【００１６】
また、本発明にかかる空調用室内ユニットでは、両端の短桟を除く前記ワイヤ係止部の一部は、外に開放された凹部で形成されていることを特徴とする。
【００１７】
このように、ワイヤ係止部の一部が、外に開放された凹部で形成されているので、その分だけ全てのワイヤ係止部を孔とした場合に比べて、射出成形用の金型構造を単純化でき、成形時間を低減できる。したがって、フレームの製造コストを低減できる。
なお、凹部は、ワイヤを装着した際、ワイヤの送風方向への移動を係止できる形状とするのが好適である。
【００１８】
また、本発明にかかる空調用室内ユニットでは、前記凹部を設けた短桟と、前記孔を設けた短桟とは、ワイヤ延設方向で交互に配置されていることを特徴とする。
【００１９】
このように、凹部を設けた短桟と、孔を設けた短桟とは、ワイヤ延設方向で交互に配置されているので、ワイヤの装着が容易となり、工数が低減できる。
また、ワイヤは短桟１本置きに孔で確実に係止されるので、例えば、ワイヤが凹部から外れた場合でも、最低限の接触防止機能は維持できる。
【００２０】
また、本発明にかかる空調用室内ユニットでは、両端の短桟を除く前記ワイヤ係止部は、全て外に開放された凹部で形成され、ワイヤ延設方向で隣り合う凹部は、送風方向にみて逆方向に向いて開放されていることを特徴とする。
【００２１】
このように、両端の短桟を除くワイヤ係止部が、外に開放された凹部で形成されているので、射出成形用の金型構造を単純化でき、成形時間を低減できる。したがって、フレームの製造コストを低減できる。
また、ワイヤ延設方向で隣り合う凹部は、送風方向にみて逆方向に向いて開放されているので、ワイヤは隣り合う凹部に順次係止するだけで強固に拘束することができる。このように、ワイヤを孔に挿通することなく、凹部に係止するだけで、ガード組立体が形成できるので、ガード組立体の組立時間が短縮され、製造コストを低減できる。
【００２２】
また、本発明にかかる空調用室内ユニットでは、前記長桟は、前記送風路を構成する対向した２面のうち、少なくとも１面に沿うように配設されていることを特徴とする。
【００２３】
このように、長桟は、送風路を構成する対向した２面のうち、少なくとも１面に沿うように配設されているので、この１面に配設された長桟は、送風路をほとんど遮断しないで、ガード組立体の強度および構造を保持する役割を担うことになる。したがって、送風の圧力損失をより軽減することになるので、空調効率の低下を防止できる。
なお、長桟は、送風路を構成する対向した２面の両方に配設されたほうが、より効果を奏するものである。
【００２４】
また、本発明にかかる空調用室内ユニットでは、前記長桟は、前記送風路の中間部分に配設されていることを特徴とする。
【００２５】
このように、長桟は送風路の中間部分に配設されているので、ワイヤと同様に手等が送風路に挿入され、指等が送風機に接触するのを防止する機能の一翼を担うことになる。したがって、長桟が、ワイヤの機能を果すので、ワイヤの本数を低減できる。
また、長桟はワイヤに比べて剛性が高く変形しづらいので、隣り合うワイヤとの間隔は手等で押された時のワイヤ変形分のみ考慮して決めることができる。したがって、ワイヤ同士が隣り合って、双方の変形分を考慮する必要がある場合に比べて間隔を広く設定できるので、ワイヤの本数を低減することができる。
【００２６】
また、本発明にかかる空調用室内ユニットでは、前記送風機は、クロスフローファンとされ、前記送風路の１面の内側端部を構成し、前記クロスフローファンの回転に伴い前記クロスフローファンとの間に再循環渦を形成するスタビライザを有し、該スタビライザを有しかつ前記送風路を構成する面と前記長桟との間に、少なくとも１本のワイヤを配設してなることを特徴とする。
【００２７】
スタビライザを有しかつ送風路を構成する面と長桟との間に、少なくとも１本のワイヤを配設しているので、長桟がスタビライザの近傍に配設されないこととなる。このように、送風流れを阻害し易い長桟が、スタビライザの近傍に配設されないので、長桟による送風の圧力損失の影響がクロスフローファンの回転に伴いクロスフローファンとスタビライザとの間に形成される再循環渦にほとんど及ばない。したがって、騒音の増加および送風効率の低下等を防止できる。
【００２８】
また、本発明にかかる空気調和装置は、請求項１から請求項１２のいずれか一項に記載の空調用室内ユニットと、冷媒を圧縮するための圧縮機、および冷媒と室外の空気との熱交換を行わせるための室外熱交換器を有する空調用室外ユニットと、前記空調用室内ユニットおよび前記空調用室外ユニットを連結するとともに、冷媒を前記空調用室内ユニットおよび前記空調用室外ユニットの間で循環させるための冷媒配管と、を備えてなることを特徴とする。
【００２９】
この空気調和機においては、空調用室内ユニットの送風路に、短桟と、長桟およびワイヤとで構成されたガード組立体が取り付けられて、手等の挿入による指等の送風機への接触が効果的に防止できる。しかも、ガード組立体の製造コストが低く、かつその取り付けが簡単であるので、空気調和装置の製造コストは低減できる。
【発明の効果】
【００３０】
請求項１に記載の発明によれば、ガード組立体は、複数の短桟と、少なくとも１本の長桟および少なくとも１本のワイヤと、が略直交するように構成されているので、手等が送風路に挿入された場合であっても、指等が送風機に接触するのを防止できる。
また、短桟と長桟とは、樹脂製なので、ガード組立体は、製造が簡単で、コストが低減できる。
さらに、ガード組立体は、風向ルーバ等他の部材とは独立しており、それらとは無関係に取り付けられるので、空調用室内ユニットの組立が簡素化できる。
また、短桟は送風路に対して固定されているので、例えば、ワイヤを複数本取り付ける場合に、従来の長孔に挿通させたものに比べてワイヤ本数を減少させることができる。
【００３１】
請求項２に記載の発明によれば、ワイヤを組み込んだガード組立体は、樹脂の弾性変形を利用して、ワンタッチで簡単に取り付けることができる。
【００３２】
請求項３に記載の発明によれば、係合部が長手方向両側に間隔を空けて複数設けられているので、ガード組立体は吹出口に強固に、かつ確実に取り付けることができる。
【００３３】
請求項４に記載の発明によれば、短桟および長桟における送風機から吹出口への送風方向に沿う断面形状は、流線形状とされているので、空調効率の低下を防止できる。
【００３４】
請求項５に記載の発明によれば、短桟のワイヤ係止部は、ワイヤの断面と略同形状の孔であるので、例えば、ワイヤを複数本取り付ける場合に、従来の長孔に挿通させたものに比べてワイヤ本数を減少させることができる。
【００３５】
請求項６に記載の発明によれば、ワイヤ係止部の一部が、外に開放された凹部で形成されているので、フレームの製造コストを低減できる。
【００３６】
請求項７に記載の発明によれば、凹部を設けた短桟と、孔を設けた短桟とは、ワイヤ延設方向で交互に配置されているので、ワイヤの装着が容易となり、工数が低減できる。
【００３７】
請求項８に記載の発明によれば、フレームの両端を除くワイヤ係止部が、外に開放された凹部で形成されているので、フレームの製造コストをより低減できる。
また、ワイヤ延設方向で隣り合う凹部は、送風方向にみて逆方向に向いて開放されているので、ガード組立体の組立時間が短縮され、製造コストを低減できる。
【００３８】
請求項９に記載の発明によれば、長桟は、送風路を構成する対向した２面のうち、少なくとも１面に沿うように配設されているので、空調効率の低下を防止できる。
【００３９】
請求項１０に記載の発明によれば、長桟は送風路の中間部分に配設されているので、ワイヤの本数を低減できる。
また、長桟はワイヤに比べて剛性が高く変形しづらいので、ワイヤ同士が隣り合って、双方の変形分を考慮する必要がある場合に比べてワイヤの本数を低減することができる。
【００４０】
請求項１１に記載の発明によれば、スタビライザを有しかつ送風路を構成する面と長桟との間に、少なくとも１本のワイヤを配設しているので、騒音の増加および送風効率の低下等を防止できる。
【００４１】
請求項１２に記載の発明によれば、ガード組立体の製造コストが低く、かつその取り付けが簡単であるので、空気調和装置は製造コストを低減できる。
【発明を実施するための最良の形態】
【００４２】
以下、本発明の一実施形態について、図１〜図５を用いて説明する。
図１は、空気調和装置の概略全体構成を一部破断して示す斜視図である。
空気調和装置１には、空調用室内ユニット３と、空調用室外ユニット５と、が備えられている。
これら空調用室内ユニット３及び空調用室外ユニット５は、冷媒が導通する冷媒配管７や図示しない電気配線等により接続されている。冷媒配管７は２本備えられており、冷媒は、その一方において空調用室内ユニット３から空調用室外ユニット５へ、また他方において空調用室外ユニット５から空調用室内ユニット３へと流れることになる。
【００４３】
空調用室外ユニット５には、圧縮機９、室外熱交換器１１、プロペラファン１３等が備えられている。
圧縮機９は、低温低圧の気体冷媒を、高温高圧の気体冷媒に変換して吐出するものである。室外熱交換器１１は、周囲に多数のプレート状フィンを備えた冷媒配管により構成されており、冷媒と室外気との熱交換を実現するためのものである。プロペラファン１３は、筐体内に背面から前面へと抜ける空気流を生じさせることにより、新たな空気を常に筐体内に取り込んで、室外熱交換器１１における熱交換効率の向上を図るために設けられている。
【００４４】
図２は、本実施形態に係る空調用室内ユニット３の断面図である。図１と併せて空調用室内ユニット３の構成について説明する。
この空調用室内ユニット３には、ベース１４に対して前面パネル１６を組み合わせて形成された箱形の筐体であるケーシング１５と、前面パネル１６の上面および前面に形成され、室内の空気を取り入れる吸込口１７，１８と、これら吸込口１７，１８から取り入れられた室内の空気を冷却または加熱する室内熱交換器１９，２１，２３と、この室内熱交換器１９，２１，２３で熱交換された空気を室内に戻す横長の吹出口２５と、吸込口１７から空気を取り入れるとともに、吹出口２５から室内に熱交換された空気を吹き出させるためのクロスフローファン（送風機）２７と、が備えられている。
【００４５】
クロスフローファン２７は、複数枚の羽根を環状配置させて円筒をなし、この円筒をその軸線方向（紙面垂直方向）の複数箇所において軸線に垂直をなす間板により補強した構成を有している。なお、各羽根は、前記軸線を中心として互いに等ピッチ角度間隔を空けて配置されている。
室内熱交換器１９，２１，２３は、複数のプレートフィンを平行に配列するとともにその両側にそれぞれ側板を配置し、かつこれら側板および複数のプレートフィンの間に冷媒の流れるチューブを配設した構成とされている。そして、室内熱交換器１９，２１，２３は、クロスフローファン２７が図中矢印Ａに示す方向へ回転した際の空気の吸い込み側に、クロスフローファン２７を取り囲むように配設されている。
【００４６】
ベース１４の内側下部４５と前面パネル１６の下部延長部４３とで、横断面が横長である送風路３３が形成されている。ベース１４の内側下部には、先細のケーシング先端部品４７が取り付けられ、送風路３３の一部を構成している。ケーシング先端部品４７は送風路３３に面するベース１４の内側下部４５と重複部５０を形成するように配設されており、重複部５０のケーシング先端部品４７側には幅方向に細長く、重複部５０より奥行き方向で長く開口した長穴５１が設けられている。長穴５１はベース１４の内側下部と重複部５０において溝４９を形成している。
送風路３３には、吹出口２５に配置された一対の上下風向ルーバ３５，３６と、上下風向ルーバ３５，３６の上流側に配置され、幅方向に多数設けられた左右風向ルーバ３７と、左右風向ルーバ３７の上流側に設けられたファンガード（ガード組立体）３９とが備えられている。
図３は、ファンガード３９の取付状態をクロスフローファン２７側（内側）から見た一部を破断して示す斜視図である。
【００４７】
上下風向ルーバ３５，３６は、図２に示されているように、それぞれ幅方向に延在した軸線回りに回動するように構成されており、図２に２点鎖線と実線で示される位置の間において、任意の位置に設定できるように構成されている。
各左右風向ルーバ３７は、前面パネル１６の下部延長部４３に支軸４１にて揺動自在に取り付けられている。そして、左右風向ルーバ３７は、幅方向で連結されており、一斉に風向が変更されるように構成されている。
【００４８】
また、送風路３３におけるクロスフローファン２７の空気の吸い込み側には、ベース１４の延長部分であるノーズ２９と、前面パネル１６の下部延長部４３から延長されたスタビライザ３１とが設けられている。
スタビライザ３１は、室内熱交換器１９，２１で発生するドレン（凝縮液）を受けるドレンガイドを兼用しており、クロスフローファン２７の外周面に対して所定隙間を置いて平行をなす、概ね平板形状をなしている。
ノーズ２９は、室内熱交換器２３で発生するドレン（凝縮液）を受けるドレンガイドを兼用しており、クロスフローファン２７の外周面に対して所定隙間を置いて平行をなす、概ね平板形状をなしている。
【００４９】
図４は、ファンガード３９の全体構造を示す斜視図、図５は、その一部を拡大して示す斜視図である。
ファンガード３９には、フレーム５３と、フレーム５３に装着されたワイヤ５５とが設けられている。
フレーム５３には、多数の縦桟（短桟）５７と、それぞれ各縦桟５７を連結する上横桟（長桟）５９および下横桟（長桟）６１と、選択された縦桟５７の上部に設けられた上係合部（係合部）６３と、選択された縦桟５７および下横桟６１の下部に設けられた下係合部（係合部）６５と、が備えられている。
【００５０】
上横桟５９は各縦桟５７の長手方向略中央部分を連結し、下横桟６１は各縦桟５７の下端部分を連結している。上横桟５９と下横桟６１とは、その横断面が送風方向に長い流線形状をしている。また、縦桟５７の横断面は送風方向に長い流線形状をしている。
各縦桟５７には、上端付近に上係止部（ワイヤ係止部）６７が設けられ、上横桟５９と下横桟６１との間に下係止部（ワイヤ係止部）６９が設けられている。
両端部の縦桟５７に設けられた上係止部６７および下係止部６９は、ワイヤ５５の断面と略同形状の孔である。それ以外の縦桟５７に設けられた上係止部６７および下係止部６９は、斜めに切り欠かれ外に開口した凹部で形成されている。ワイヤ５５の延設方向で隣り合う上係止部６７および下係止部６９は、送風方向にみて逆方向に、すなわち一方が内側なら他方が外側に向いて開放されている。
【００５１】
上係合部６３は、縦桟５７の延設方向から外側に折れ曲がって設けられており、上から見て先端が開口した略コ字形状をしている。
上係合部６３は、開口部が前面パネル１６の下部延長部４３に設けられた固定用係合部７９に挿着されることで、前面パネル１６に取り付けられる。
上係合部６３は、両端の縦桟５７と、中間部分では２〜４本おきの縦桟５７とに設けられている。
【００５２】
下係合部６５は、縦桟５７の延設方向から外側に折れ曲がって設けられており、その下端には、略直方体形状の嵌合部７１と、一部が嵌合部７１と連結された略直方体形状の挿入部７３とが設けられている。
嵌合部７１は、ベース１４の内側下部４５とケーシング先端部品４７との重複部５０上にケーシング先端部品４７に設けられた長穴５１によって形成された溝４９に嵌合され、挿入部７３は、ケーシング先端部品４７に設けられた幅方向に細長く、重複部５０よりも奥行き方向に長く開口し長穴５１からケーシング先端部品４７内部に挿入されるように構成されている。すなわち、溝４９と長穴５１とが、本発明の固定用係合部を構成するものである。
【００５３】
前述した部材で構成されるフレーム５３は、樹脂製で、射出成形機により一体成形されている。
ワイヤ５５は、一端が、一端の縦桟５７の外側で、抜止め７５により保持され、各縦桟５７の上係止部６７に順次係止され、他端の縦桟５７の上係止部６７から下係止部６９を通り各縦桟５７の下係止部６９を通り、他端が一端の縦桟５７の外側で、抜止め７５で保持されている。
他端の縦桟５７の外側には、ワイヤ５５を保護するカバー７７が設けられている。
【００５４】
以上説明した本実施形態にかかる空気調和装置１の運転について説明する。
運転を開始すると、空調用室外ユニット５から冷媒配管７により室内熱交換器１９，２１，２３に冷めたいあるいは暖かい冷媒が運ばれる。そして、クロスフローファン２７の回転により、吸込口１７，１８から取り入れられた室内の空気が室内熱交換器１９，２１，２３を通過して冷却または加熱される。この室内熱交換器１９，２１，２３で熱交換された空気が送風路３３を通って吹出口２５から室内に吹き出されて、室内の冷房または暖房を行う。クロスフローファン２７の回転に伴い、スタビライザ３１との間に再循環渦が形成され、騒音の低減および送風効率の向上が図られている。
【００５５】
この場合において、送風路３３には、縦桟５７と、上横桟５９、下横桟６１およびワイヤ５５とで格子形状が形成されたファンガード３９が、送風方向と略直交し、長桟の延設方向が、送風路断面の長手方向に沿うように取り付けられているので、手等が送風路に挿入された場合であっても、指等が送風機に接触するのを確実に防止できる。
このように、上横桟５９および下横桟６１は、送風路３３の中間位置に位置して設けられているので、ワイヤ５５と同様に手等が送風路３３に挿入され指等がクロスフローファン２７に接触するのを防止している。このため、上横桟５９および下横桟６１はファンガイドの強度部材であるとともにワイヤ５５の機能をも果たしていることになるので、ワイヤ５５の設置箇所を減少することができる。
【００５６】
また、縦桟５７、上横桟５９および下横桟６１は、送風方向に沿う断面形状が流線形状とされているので、クロスフローファン２７から送られる風は、縦桟５７、上横桟５９および下横桟６１の表面を滑らかに流れて大きな抵抗とならない。このため、縦桟５７、上横桟５９および下横桟６１による送風の圧力損失が増加しないので、ファンガード３９が存在しても、空調効率の低下を防止できる。
さらに、上横桟５９は縦桟５７の長手方向中央部分に設けられ、スタビライザ３１との間に、ワイヤ５５が配設されているので、上横桟５９はスタビライザ３１から離れた位置に配設されている。このため、上横桟５９による送風の圧力損失が、スタビライザ３１とクロスフローファン２７との間に形成された再循環渦にほとんど影響を及ぼさない。したがって、再循環渦の変動により生じる騒音の増加および送風効率の低下等を防止できる。
【００５７】
なお、本実施形態では、上横桟５９および下横桟６１は、送風路の中間位置に設けられているが、本発明はこれに限定されるものではない。例えば、上横桟５９あるいは下横桟６１のいずれかを、前面パネル１６の下部延長部４３あるいはベース１４の内側下部４５に沿うように配設してもよい。
このようにすると、横桟は、送風路をほとんど遮断しないので、送風の圧力損失をより軽減することになり、空調効率の低下を防止できる。
なお、両面に配設されたほうが、より効果を奏するものである。
また、横桟を一本として、その上下にワイヤを配設するようにして、横桟による圧力損失を低減するようにしてもよい。
【００５８】
次に、ファンガード３９の製造および組立について説明する。
フレーム５３は、射出成形機により一体成形される。この場合、両端部の縦桟５７の上係止部６７および下係止部６９以外には、孔のような打抜き形状がないので、射出成形用の金型構造を単純化でき、金型が安価になる。また、これに伴い射出工程が単純化して成形時間を低減できる。したがって、フレームの製造コストを低減できる。
【００５９】
このフレーム５３に、ワイヤ５５を装着する。ワイヤ５５の装着は、一端の縦桟５７の外側からワイヤ５５を上係止部６７に挿通し、外に開放された凹部で形成された各縦桟５７の上係止部６７に順次係止させる。そして、他端の縦桟５７の上係止部６７に挿通して折り返し下係止部６９に挿通する。また、外に開放された凹部で形成された各縦桟５７の下係止部６９に順次係止させ、一端の縦桟５７の下係止部６９を挿通する。この状態で、ワイヤ５５を両側から締め付けて切断し、両端部に抜止め７５を取り付ける。
この時、フレーム５３の両端を除く上係止部６７および下係止部６９が、外に開放された凹部で形成され、かつ隣り合う上係止部６７同士および下係止部６９同士が送風方向にみて逆方向に向いて開放されているので、ワイヤ５５は隣り合う凹部に順次係止するだけで強固に拘束することができる。
【００６０】
このように、フレーム５３にワイヤ５５を係止させるだけでファンガード３９が形成されるので、ファンガード３９は組立時間が短縮され、製造コストを低減できる。
また、本実施形態では、ワイヤ５５を孔に挿通することなく、凹部に係止するだけで、ファンガード３９が形成できるので、ファンガードの組立時間がより短縮され、製造コストをより低減できる。
【００６１】
なお、本実施形態では、両端部の縦桟５７以外は、上係止部６７および下係止部６９が外に開放された凹部で形成されているが、本発明はこれに限定されるものではない。
例えば、一部の縦桟５７において、上係止部６７および下係止部６９を両端部の縦桟５７と同様な孔としてもよい。また、外に開放された凹部と孔とを交互になるように縦桟５７を配列してもよい。
このようにすると、ワイヤ５５は、孔に通された縦桟５７では確実に係止されるので、万一ワイヤ５５が凹部から外れた場合でも、最低限の接触防止機能は維持できる。また、このため、本実施形態のように、凹部を送風方向にみて、逆方向に向いて開放する必要が少なくなるので、フレーム５３の製造が安価となる。
【００６２】
また、全ての縦桟５７の上係止部６７および下係止部６９をワイヤ５５の断面と略同形状の孔としてもよい。
このようにすると、ワイヤ５５は孔に挿通されることで、動く余地がほとんどない状態で縦桟５７に取り付けられるので、ワイヤは大きく動くことがなく、その位置が十分に規制される。したがって、例えば従来の風向ルーバに設けた長孔に挿通したものにあったように不必要にワイヤ５５の間隔を狭くする必要がなくなる。また、ワイヤ５５の移動が規制されるので、例えば、ワイヤ５５を複数本取り付ける場合に、従来の長孔に挿通させたものに比べてワイヤ本数を減少させることができる。
【００６３】
このようにして形成されたファンガード３９は、上係合部６３が前面パネル１６の下部延長部４３に設けられた固定用係合部７９に挿着される。次いで、挿入部７３がケーシング先端部品４７に設けられた長穴５１の下部に、嵌合部７１が溝４９に嵌合されるようケーシング先端部品４７が装着され、ファンガード下係合部が固定される。これにより、ファンガード３９の送風路３３への取り付けが終了する。
このように、ファンガード３９は送風路３３に簡単に取り付けることができる。
この時、上係合部６３と下係合部６５とは形状が異なるので、ファンガード３９の取り付け方向を間違うことを防止できる。また、幅方向での取り付け位置も異なっているので、取り付け間違いをより防止することができる。
【００６４】
その後、送風路３３では、左右風向ルーバ３７および上下風向ルーバ３５，３６が取り付けられる。
このように、ファンガード３９の取り付けは、左右風向ルーバ３７および上下風向ルーバ３５，３６とは独立しているので、空調用室内ユニットの組立を簡素化できる。
【００６５】
なお、本実施形態では、送風路３３の横断面形状が横長であるので、縦桟５７が多数設けられているが、例えば窓用室内空調ユニットのように、送風路が縦長の場合には、横桟が多数設けられることになる。すなわち、横桟が、本発明にいう短桟に相当することになる。
【図面の簡単な説明】
【００６６】
【図１】本発明の一実施形態にかかる空気調和装置の全体概略構成を示す斜視図である。
【図２】本発明の一実施形態にかかる室内用空調ユニットの縦断面図である。
【図３】本発明の一実施形態にかかるファンガードの取り付け状態を示す斜視図である。
【図４】本発明の一実施形態にかかるファンガードの全体構造を示す斜視図である。
【図５】図４の部分拡大図である。
【符号の説明】
【００６７】
１  空気調和装置
３  室内用空調ユニット
５  室外用空調ユニット
７  冷媒配管
１７，１８  吸込口
１９，２１，２３  室内熱交換器
２５  吹出口
２７  クロスフローファン
３１  スタビライザ
３３  送風路
３９  ファンガード
４９  溝
５０  重複部
５１  長穴
５７  縦桟
５９  上横桟
６１  下横桟
６３  上係合部
６５  下係合部
６７  上係止部
６９  下係止部
７９  固定用係合部
【図１】
2006010257.tif 000003
【図２】
2006010257.tif 000004
【図３】
2006010257.tif 000005
【図４】
2006010257.tif 000006
【図５】
2006010257.tif 000007